(57)【特許請求の範囲】
【請求項１】
低消費電力の自動感光式サングラスであって、
フレーム（１０）と、フレームに設けられる２つの液晶レンズ（５０）、給電モジュール（２０）、周囲照度を検知するための光検出器（３０）、液晶レンズの明暗状態を調節するためのマイクロプロセッサ（４０）、出力電圧を高めるための高周波充放電ブースト回路（１）とを含み、前記光検出器（３０）は前記マイクロプロセッサ（４０）の制御入力端に接続され、前記給電モジュール（２０）は前記マイクロプロセッサ（４０）の電源端に接続され、前記マイクロプロセッサ（４０）はブースト制御端を含み、前記ブースト制御端は高周波充放電ブースト回路（１）の入力端に接続され、液晶レンズの駆動電圧の高低を切り替えるための低周波切替駆動回路（２）をさらに含み、前記高周波充放電ブースト回路（１）の出力端は低周波切替駆動回路（２）に接続され、前記低周波切替駆動回路（２）の出力端は２つの液晶レンズ（５０）にそれぞれ接続され、
前記低周波切替駆動回路（２）はマイクロプロセッサ（４０）に内蔵され、マイクロプロセッサ（４０）は発振電源回路（３）及び周波数低減回路（４）をさらに含み、前記発振電源回路（３）はブースト制御端を介して高周波充放電ブースト回路（１）に高周波充電信号を提供し、前記発振電源回路（３）は周波数低減回路を介して低周波切替駆動回路（２）に低周波切替信号を提供することを特徴とする低消費電力の自動感光式サングラス。
【請求項２】
前記マイクロプロセッサ（４０）はマイクロプロセッサ（４０）の内部に給電するための電源駆動回路（５）をさらに含み、前記給電モジュール（２０）は電源端（ＶＤＤ）を介して給電モジュール（２０）に接続されて直流電力を提供し、前記電源駆動回路（５）はパルス電源回路を含み、前記パルス電源回路はパルス電源出力端を含み、前記パルス電源回路は給電モジュール（２０）からの直流電力をパルス給電信号に変換してパルス電源出力端から出力し、前記パルス電源出力端は発振電源回路（３）に接続されることを特徴とする請求項１に記載の低消費電力の自動感光式サングラス。
【請求項３】
前記パルス電源回路は光検出器（３０）に給電電圧を提供するためのバイアス電流出力端をさらに含み、前記バイアス電流出力端は光検出器の給電ポートに接続されることを特徴とする請求項２に記載の低消費電力の自動感光式サングラス。
【請求項４】
前記マイクロプロセッサ（４０）は光検出器の電圧値を検出するための電圧検出回路（６）をさらに含み、前記電圧検出回路（６）の入力端は光検出器に接続され、電圧検出回路（６）の出力端は低周波切替駆動回路に接続されることを特徴とする請求項１に記載の低消費電力の自動感光式サングラス。
【請求項５】
前記電圧検出回路（６）は遅延回路（７）を介して低周波切替駆動回路（２）に接続され、マイクロプロセッサ（４０）の外部に設けられる遅延制御コンデンサ（６０）をさらに含み、前記遅延制御コンデンサ（６０）は遅延回路（７）に接続されることを特徴とする請求項４に記載の低消費電力の自動感光式サングラス。
【請求項６】
前記光検出器（３０）及び前記マイクロプロセッサ（４０）はフレーム（１０）の鼻パッドに設けられ、前記給電モジュール（２０）はフレーム（１０）の鼻パッド又はフレーム（１０）の２つのテンプルに設けられることを特徴とする請求項１に記載の低消費電力の自動感光式サングラス。
【請求項７】
前記給電モジュール（２０）は１．５５Ｖのボタン型電池を１本使用して給電し、前記高周波充放電ブースト回路（１）の出力電圧は電池電圧の４倍で、即ち６．２Ｖであることを特徴とする請求項１に記載の低消費電力の自動感光式サングラス。
【請求項８】
前記発振電源回路（３）が高周波充放電ブースト回路（１）に提供する高周波充電信号の周波数は１８５Ｈｚであることを特徴とする請求項１に記載の低消費電力の自動感光式サングラス。
【請求項９】
前記周波数低減回路（４）が低周波切替駆動回路（２）に提供する低周波切替信号は周波数が１／９０Ｈｚの方形波信号であることを特徴とする請求項１に記載の低消費電力の自動感光式サングラス。
【発明の詳細な説明】
【技術分野】
【０００１】
本発明は、サングラスに関し、特に、低消費電力の自動感光式サングラスに関する。
【背景技術】
【０００２】
サングラスの着用は、外部の強烈な照明刺激が目にダメージを与えることを防ぐために一般的に利用される保護手段の一つである。現在販売されているサングラスは、一般に真っ黒のサングラスか、いわゆる跳ね上げ機能を有するフリップアップ式サングラスかのいずれかであり、このようなサングラスを着用する場合、使用者は太陽光が当たる場所又は照明が強い場所から太陽光が当たらない場所又は照明が弱い場所に移動した後、視野を確保するためにサングラスを外すか、そのカバーの部分をめくり上げる必要があり、照明の強弱が頻繁に変化する場合、メガネを頻繁に操作しなければならないため手間がかかる。
【０００３】
従来技術による自動感光式サングラスは、周囲照度の変化に応じて自動的にレンズを調節することができ、液晶製のレンズを使用し、液晶レンズに加える電圧を変更することによりレンズの光透過率を変更する。従来の自動感光式サングラスは消費電力が大きく、出力電圧の周波数が高く、一般にＵＳＢ充電モードを使用するため、フレームにＵＳＢインタフェースを付け加える必要があり、美観性が損なわれるだけでなく、使用する前に満充電する必要があり、継続時間が短く、使用しにくく、いつでも使用することは不可能である。
【発明の概要】
【発明が解決しようとする課題】
【０００４】
本発明は、上記問題を解決するためになされたものであり、その目的は低消費電力の自動感光式サングラスを提供することである。
【課題を解決するための手段】
【０００５】
本発明が上記課題を解決するために採用する技術的解決手段は以下のとおりである。
低消費電力の自動感光式サングラスであって、フレームと、フレームに設けられる２つの液晶レンズ、給電モジュール、周囲照度を検知するための光検出器、液晶レンズの明暗状態を調節するためのマイクロプロセッサ、出力電圧を高めるための高周波充放電ブースト回路とを含み、前記光検出器は前記マイクロプロセッサの制御入力端に接続され、前記給電モジュールは前記マイクロプロセッサの電源端に接続され、前記マイクロプロセッサはブースト制御端を含み、前記ブースト制御端は高周波充放電ブースト回路の入力端に接続され、液晶レンズの駆動電圧の高低を切り替えるための低周波切替駆動回路をさらに含み、前記高周波充放電ブースト回路の出力端は低周波切替駆動回路に接続され、前記低周波切替駆動回路の出力端は２つの液晶レンズにそれぞれ接続される。
【０００６】
さらに、前記低周波切替駆動回路はマイクロプロセッサに内蔵され、マイクロプロセッサは発振電源回路及び周波数低減回路をさらに含み、前記発振電源回路はブースト制御端を介して高周波充放電ブースト回路に高周波充電信号を提供し、前記発振電源回路は周波数低減回路を介して低周波切替駆動回路に対して低周波切替信号を提供する。発振電源回路によって、充電周波数を高めることができ、これによって給電電圧を大幅に高めることができる。周波数低減回路は給電電圧の周波数を大幅に低減することにより、駆動電圧のハイ−ローレベル反転の周波数を低減することができ、これによってメガネの消費電力を低減できる。
【０００７】
さらに、前記マイクロプロセッサはマイクロプロセッサの内部に給電するための電源駆動回路をさらに含み、前記給電モジュールは電源端を介して給電モジュールに接続されて直流電力を提供し、前記電源駆動回路はパルス電源回路を含み、前記パルス電源回路はパルス電源出力端を含み、前記パルス電源回路は給電モジュールからの直流電力をパルス給電信号に変換してパルス電源出力端から出力し、前記パルス電源出力端は発振電源回路に接続される。前記パルス電源はマイクロプロセッサの内部素子の動作を駆動するためのパルス給電信号を生成し、前記パルス給電信号は発振電源回路に接続されて発振のためのパルス給電信号を提供し、前記発振電源回路は当該パルス給電信号を利用して高周波充放電ブースト回路を動作させるための高周波充電信号を生成する。
【０００８】
さらに、前記パルス電源回路は光検出器に給電電圧を提供するためのバイアス電流出力端をさらに含み、前記バイアス電流出力端は光検出器の給電ポートに接続される。前記パルス電源回路は外部素子に給電するためのバイアス電流出力端をさらに含み、前記バイアス電流出力端は光検出器に電力を提供し、別途給電が必要な一部の光検出器に対して、別途給電回路を設けることなく、マイクロプロセッサによって給電を行うことができ、回路の簡素化につながる。使用される光検出器は別途給電される必要がない場合、前記バイアス電流出力端をローティングさせればよい。
【０００９】
さらに、前記マイクロプロセッサは光検出器の電圧値を検出するための電圧検出回路をさらに含み、前記電圧検出回路の入力端は光検出器に接続され、電圧検出回路の出力端は低周波切替駆動回路に接続される。前記電圧検出回路は光検出器によって出力される電圧値を検出し、当該電圧値が設定された閾値より大きい場合、メガネは照明が強い環境にあるとし、そして電圧検出回路は低周波切替駆動回路に対してスイッチ信号を送信することにより、低周波切替駆動回路を動作させ、電圧値が設定された閾値未満である場合、電圧検出回路は信号を出力せず、低周波切替駆動回路は出力を停止し、液晶レンズは通常状態に回復する。
【００１０】
さらに、前記電圧検出回路は、遅延回路を介して低周波切替駆動回路に接続され、マイクロプロセッサの外部に設けられる遅延制御コンデンサをさらに含み、前記遅延制御コンデンサは遅延回路に接続される。遅延回路及び遅延時間を制御するための遅延制御コンデンサを設けることにより、低周波切替駆動回路の出力を遅延させ、瞬間的な強い光線により液晶レンズが光透過率を頻繁に低減することを避け、使用体験を向上させる。
【００１１】
さらに、前記光検出器及びマイクロプロセッサはフレームの鼻パッドに設けられ、前記給電モジュールはフレームの鼻パッド又はフレームの２本のテンプルに設けられる。このように設置することにより、回路部品がメガネの外観に与える影響を最大限に緩和し、サングラスの美観性が向上する。
【００１２】
具体的には、前記光検出器は２つのフォトダイオード及び１つの固定抵抗を含み、前記フォトダイオードは固定抵抗と並列に接続される。２つのフォトダイオードは光感度を向上させることでき、抵抗に接続されることで光信号を直接電圧信号に変換して出力し、マイクロプロセッサをトリガーして動作させることができる。
【００１３】
具体的には、前記給電モジュールは１．５５Ｖのボタン型電池を１本使用して給電し、前記高周波充放電ブースト回路によって出力される電圧は電池電圧の４倍で、即ち６．２Ｖである。電池電圧が小さく、電流が５０ｎＡより小さいが、ブースト回路により駆動電圧を大幅に高めると、電池の耐用年数を引き伸ばす効果を実現できる。
【００１４】
具体的には、前記発振電源回路が高周波充放電ブースト回路に提供する高周波充電信号は、周波数が１８５Ｈｚで対称な正・負の電気信号である。
【００１５】
前記遅延制御コンデンサによる遅延は１ｎＦ当たり１８ｍｓのアナログ遅延である。前記マイクロプロセッサに１０ｎＡの入力バイアス電流が流入し、且つ、入力インピーダンスは１０００ＭΩより大きい。
【００１６】
さらに、前記周波数低減回路が低周波切替駆動回路に提供する低周波切替信号は周波数が１／９０Ｈｚの方形波信号である。１／９０Ｈｚの周波数であるためレベルは９０秒ごとに反転し、液晶ディスプレイが消灯する時にはローレベルであり、消費電力が少ない。
【００１７】
さらに、前記液晶レンズは上方ガラス基板及び下方ガラス基板を含み、上方ガラス基板及び下方ガラス基板の電極は前記マイクロプロセッサの低周波切替駆動回路の出力端にそれぞれ接続される。
【発明の効果】
【００１８】
本発明は次の有益な効果を有する。本発明による低消費電力の自動感光式サングラスは、メガネに設けられる光検出器により光線の変化をスマートに検知して自動的にスイッチをトリガーすることにより、レンズに明暗変化を生じさせるため、使用者による手動操作は不要になり、使用しやすい。感光回路は高周波充放電ブースト回路により、入力される給電電圧を大幅に高めるため、動作させるためには小型の低圧電池を接続するだけでよく、また低周波切替駆動回路により、液晶レンズの駆動電圧の周波数を大幅に低減し、これによってメガネの消費電力を効果的に低減し、節電機能を実現し、電池及メガネの耐用年数を引き伸ばすことができる。
【００１９】
以下、各図及び実施例を用いて本発明をさらに説明する。
【図面の簡単な説明】
【００２０】
【図１】図１は、本発明による低消費電力の自動感光式サングラスの回路原理を示すブロック図である。
【図２】図２は、本発明による低消費電力の自動感光式サングラスの構造を概略的に示す図である。
【図３】図３は、本発明による低消費電力の自動感光式サングラスの外観を概略的に示す図である。
【図４】図４は、本発明による低消費電力の自動感光式サングラスの液晶レンズの構造を概略的に示す図である。
【図５】図５は、本発明による低消費電力の自動感光式サングラスの回路原理を示す図である。
【図６】図６は、本発明による低消費電力の自動感光式サングラスの電源駆動回路の回路原理を示す図である。
【図７】図７は、本発明による低消費電力の自動感光式サングラスの電圧検出回路の回路原理を示す図である。
【図８】図８は、本発明による低消費電力の自動感光式サングラスの遅延回路の回路原理を示す図である。
【図９】図９は、本発明による低消費電力の自動感光式サングラスの発振電源回路の回路原理を示す図である。
【図１０】図１０は、本発明による低消費電力の自動感光式サングラスの周波数低減回路の回路原理を示す図である。
【図１１】図１１は、本発明による低消費電力の自動感光式サングラスの低周波切替駆動回路の回路原理を示す図である。
【発明を実施するための形態】
【００２１】
図１〜図４に示すように、本発明による低消費電力の自動感光式サングラスは、フレーム１０と、フレームに設けられる２つの液晶レンズ５０、給電モジュール２０、周囲照度を検知するための光検出器３０、液晶レンズの明暗状態を調節するためのマイクロプロセッサ４０、出力電圧を高めるための高周波充放電ブースト回路１とを含み、光検出器３０はマイクロプロセッサ４０の制御入力端ＳＥＩに接続され、給電モジュール２０はマイクロプロセッサ４０の電源端ＶＤＤに接続され、マイクロプロセッサ４０はブースト制御端ＤＣ＋／ＤＣ−を含み、ブースト制御端ＤＣ＋／ＤＣ−は高周波充放電ブースト回路１の入力端に接続され、液晶レンズの駆動電圧の高低を切り替えるための低周波切替駆動回路２をさらに含み、高周波充放電ブースト回路１の出力端は低周波切替駆動回路２の入力端ＶＬＣＤに接続され、低周波切替駆動回路２の出力端ＬＣＤＡ＋／ＬＣＤＡ−は２つの液晶レンズ５０にそれぞれ接続される。メガネに設けられる光検出器３０により光線の変化をスマートに検知することにより自動的にスイッチをトリガーして、レンズに明暗変化を生じさせるため、使用者による手動操作は不要になり、使用しやすい。感光回路は高周波充放電ブースト回路１により、入力される給電電圧を大幅に高めるため、動作させるためには小型の低圧電池を接続するだけでよく、また低周波切替駆動回路２によって、液晶レンズ５０の駆動電圧の周波数を大幅に低減することにより、メガネの消費電力を効果的に低減し、節電機能を実現し、電池及メガネの耐用年数を引き伸ばすことができる。
【００２２】
図１、図５に示すように、低周波切替駆動回路２はマイクロプロセッサ４０に内蔵され、マイクロプロセッサ４０内に発振電源回路３及び周波数低減回路４がさらに設けられ、発振電源回路３はブースト制御端を介して高周波充放電ブースト回路１に高周波充電信号を提供し、発振電源回路３は周波数低減回路４を介して低周波切替駆動回路２に対して低周波切替信号を提供する。発振電源回路３により、充電周波数を高めることができ、これによって給電電圧を大幅に高めることができる。周波数低減回路４は給電電圧の周波数を大幅に低減することにより、駆動電圧のハイ−ローレベル反転の周波数を低減することができ、これによってメガネの消費電力を低減できる。
【００２３】
本発明による低消費電力の自動感光式サングラスは消費電力が非常に小さいため、給電モジュール２０は給電するために１．５５Ｖのボタン型電池を１本使用するだけでよく、高周波充放電ブースト回路１の出力電圧ＶＬＣＤは電池電圧の４倍で、即ち６．２Ｖである。ボタン型電池は電圧が低く、低コストであるが、ブースト回路により駆動電圧を大幅に高めると、電池の耐用年数を引き伸ばす効果を実現できる。
【００２４】
発振電源回路３が高周波充放電ブースト回路１に提供する高周波充電信号の周波数は１８５Ｈｚである。周波数低減回路４が低周波切替駆動回路２に提供する低周波切替信号は周波数が１／９０Ｈｚの方形波信号である。１／９０Ｈｚの周波数であるためレベルは９０秒ごとに反転し、消費電力が少ない。
【００２５】
具体的には、図１、図６に示すように、マイクロプロセッサ４０はマイクロプロセッサ４０内部の各素子に電力を提供するための電源駆動回路５をさらに含み、電源駆動回路５はパルス電源回路を含み、前記パルス電源回路はパルス給電信号を生成するために用いられ、前記パルス電源回路は電源端ＶＤＤを介してボタン型電池に接続されて１．５５Ｖの直流電圧を取得してパルス給電信号に変換して出力し、パルス電源回路はパルス電圧信号ＰＰ及びパルス電圧信号Ｐｎの２つのパルス給電信号を提供し、パルス電圧信号ＰＰ及びパルス電圧信号Ｐｎは発振電源回路３に出力されて発振電源回路３に発振パルス給電信号を提供し、また、パルス電圧信号ＰＰは電圧検出回路６及び遅延回路７の電流源として働く。
【００２６】
図１、図５及び図７に示すように、マイクロプロセッサ４０は光検出器３０の電圧値を検出するための電圧検出回路６をさらに含み、電圧検出回路６の入力端は光検出器３０に接続され、電圧検出回路６の出力端は低周波切替駆動回路に接続される。光検出器３０は２つのフォトダイオード及び１つの固定抵抗を含み、前記フォトダイオードは固定抵抗と並列に接続される。２つのフォトダイオードを用いることで光感度を向上させることができ、抵抗に接続させると光信号を直接電圧信号に変換してマイクロプロセッサ４０のＳＥＩピンによって電圧検出回路６に出力することができる。図７に示すように、パルス電圧信号ＰＰは電圧検出回路６にパルス駆動電源を提供し、光検出器３０の電圧値が４２０ｍＶより大きい場合、ゲート回路をオンにし、電圧検出回路６の出力端ｓｅｎｓは制御信号を出力し、光検出器３０の電圧値が３７５ｍＶより小さい場合、電圧検出回路６の出力端ｓｅｎｓは制御信号の出力を停止し、電圧検出回路６には制御信号の出力の有無を検出するためのＴＳＥＮＳポートがさらに設けられる。
【００２７】
本発明による低消費電力の自動感光式サングラスにおいて、光検出器３０は別途給電されることなく、十分な検出電圧を生成できる。一部の光検出器３０は正常に動作するために別途給電が必要である。図６に示すように、前記パルス電源回路は光検出器に給電電圧を提供するためのバイアス電流出力端ＩＢＩＡＳをさらに含み、バイアス電流出力端ＩＢＩＡＳは光検出器の給電ポートに接続され、これによって別途給電回路を設けることなく、マイクロプロセッサ４０によって給電を行うことができ、回路の簡素化につながる。使用される光検出器３０は別途給電される必要がない場合、バイアス電流出力端ＩＢＩＡＳをローティングさせればよい。
【００２８】
図１、図８に示すように、マイクロプロセッサ４０は遅延回路７をさらに含み、電圧検出回路６の出力端ｓｅｎｓは遅延回路７の入力端に接続され、また、パルス電圧信号ＰＰは遅延回路７の電流源として働き、遅延回路７の出力端ｏｎは、低周波切替駆動回路２の入力端に接続され、低周波切替駆動回路２に対して液晶メガネをオンオフする信号を出力する。遅延回路７の遅延時間は制御可能であり、遅延回路７は遅延時間を制御するためのＣＤＯポートを含み、ＣＤＯポートに遅延制御コンデンサ６０が接続され、遅延制御コンデンサ６０による遅延は１ｎＦ当たり１８ｍｓのアナログ遅延である。遅延回路７の出力が正常であるか否かをテストために、遅延回路７はテストを行うためのＴＯＮテストポートをさらに含み、ＴＯＮテストポートは遅延回路７の出力端ｏｎと並列に接続される。
【００２９】
図９に本発明による低消費電力の自動感光式サングラスの発振電源回路が示され、当該発振電源回路は発振器であり、パルス電圧信号ＰＰ及びパルス電圧信号Ｐｎは発振電源回路の入力端に入力されて発振用のパルス給電信号を提供し、発振電源回路によりパルス電圧信号ＰＰ及びパルス電圧信号Ｐｎを高周波充電信号に変換し、前記高周波充電信号はブースト制御端ＤＣ＋及びＤＣ−からそれぞれ出力され、出力される高周波充電信号は１８５Ｈｚである。また、前記発振電源回路は同時に１８５Ｈｚのパルス電圧信号を周波数低減回路４に出力する。前記発振電源回路はテスト信号を入力するためのＴＳＴテスト端をさらに含む。
【００３０】
図１０に示すように、周波数低減回路４は複数のラッチが直列接続して構成され、本実施例において、具体的には１４のラッチを使用するチェーン式分周器として構成され、当該チェーン式分周器により、１８５Ｈｚのパルス電圧信号を１／９０Ｈｚの方形波信号に周波数低減して低周波切替駆動回路２に出力する。
【００３１】
図５に示すように、高周波充放電ブースト回路１は、２つのダイオードユニットＤ２Ａ及びＤ２Ｂを対向させて構成される整流回路、及び対向するダイオードユニットＤ２ＡとＤ２Ｂに接続される充放電コンデンサＣ４、Ｃ５とＣ８を含む。ただし、コンデンサＣ４はブースト制御端ＤＣ＋及びＤ２Ａ共通端にそれぞれ接続され、コンデンサＣ５はブースト制御端ＤＣ＋及びＤ２Ｂ共通端にそれぞれ接続され、Ｄ２Ａの一端はＶＤＤに接続され、他端はＤ２Ｂに接続され、且つ、コンデンサＣ８を介してブースト制御端ＤＣ−に接続され、Ｄ２Ｂの他端はＶＳＳに接続される。これにより、ブースト制御端ＤＣ＋及びＤＣ−が１８５Ｈｚの高周波充電信号を出力する時、整流回路及び充放電コンデンサにより６．２Ｖの出力電圧ＶＬＣＤを出力し、高周波充放電ブースト回路１が設けられるため、電圧が低く体積が小さいボタン型電池を用いるだけで回路全体に対する給電を満足できる。
【００３２】
図１１に示すように、低周波切替駆動回路２は２つの対称なアナログスイッチ回路及び１つの論理スイッチ回路２１を含み、高周波充放電ブースト回路１の出力端はマイクロプロセッサ４０のＶＬＣＤ端を介して低周波切替駆動回路２に接続され、且つ、第１のアナログスイッチ回路２２及び第２のアナログスイッチ回路２３を介して低周波切替駆動回路２の出力端ＬＣＤ１及びＬＣＤ２にそれぞれ接続され、ただし、ＬＣＤ１はマイクロプロセッサ４０のＬＣＤＡ＋を介して液晶メガネに接続され、ＬＣＤ２はマイクロプロセッサ４０のＬＣＤＡ−を介して液晶メガネに接続される。第１のアナログスイッチ回路２２及び第２のアナログスイッチ回路２３は論理スイッチ回路２１によって制御され、論理スイッチ回路２１は２つの制御出力端を含み、１つは第１のアナログスイッチ回路２２を制御するために用いられ、もう１つは第２のアナログスイッチ回路２３を制御するために用いられ、２つの制御端の制御信号は逆であるため、ＬＣＤＡ＋及びＬＣＤＡ−は電圧制御信号を交互に出力できる。
【００３３】
前記論理スイッチ回路の制御端は遅延回路７の出力端ｏｎ及び周波数低減回路からの１／９０Ｈｚの方形波信号を含み、当該２つの信号の制御を受けて、論理スイッチ回路は出力端ｏｎからのオン信号を受信すると、１／９０Ｈｚの方形波信号によって制御され、ＬＣＤＡ＋及びＬＣＤＡ−が１／９０Ｈｚの周波数で出力を反転し、そして液晶レンズ５０に９０秒ごとに反転させることにより、液晶レンズの駆動電圧の周波数を大幅に低減し、これによってメガネの消費電力を効果的に低減し、節電機能を実現するとともに、電池及びメガネの耐用年数を引き伸ばすことができる。
【００３４】
図２、図３に示すように、光検出器３０及びマイクロプロセッサ４０はフレーム１０の鼻パッドに設けられ、給電モジュール２０はフレーム１０の鼻パッド又はフレーム１０の２本のテンプルに設けられる。このように設置することにより、回路部品がメガネの外観に与える影響を最大限に緩和し、サングラスの美観性が向上する。
【００３５】
図４に示すように、前記液晶レンズは上方ガラス基板６及び下方ガラス基板７を含み、上方ガラス基板６及び下方ガラス基板７の電極は前記マイクロプロセッサの低周波切替駆動回路２の出力端にそれぞれ接続される。
【００３６】
上述した内容は、本発明の好ましい実施例に過ぎず、本発明は上記実施形態に限定されるものではない。類似する手段によって本発明の技術効果が得られるものは、いずれも本発明の保護範囲に含まれるものとする。
【図１】
0006874214.tif 000002
【図２】
0006874214.tif 000003
【図３】
0006874214.tif 000004
【図４】
0006874214.tif 000005
【図５】
0006874214.tif 000006
【図６】
0006874214.tif 000007
【図７】
0006874214.tif 000008
【図８】
0006874214.tif 000009
【図９】
0006874214.tif 000010
【図１０】
0006874214.tif 000011
【図１１】
0006874214.tif 000012